(57)【要約】      （修正有）【課題】構造簡単、安価、使用便利な折り畳み可能な収納箱の提供。【解決手段】折り畳み可能な収納箱であって、その特徴は軟性の布材により底部と数個の側壁が内空間を構成する本体を形成し、本体の開口は各辺が上フレームを結合し、上フレーム両側に支承フレームを枢設し、支承フレームの下端は脚を有する。本体の内底部は底板を設置し、底板の両側上面は脚を挿入する槽孔を有し、脚が槽孔に挿入される時、収納箱の組み立てが完成する。脚を槽孔から抜くと本体が扁平に折り畳まれる。【選択図】図２
0003129581.tif 000002
【実用新案登録請求の範囲】
【請求項１】
折り畳み可能な収納箱であって、
軟性の布材からなり、底部と前記底部周囲に連接した側壁とを有し、前記底部と前記側壁は共同で開口が上向けの内空間を形成する本体と、
上フレームと前記上フレームの両側に枢接した支承フレームとを有し、前記支承フレームの長さは前記本体の内空間の深さと等しいかそれより長く、前記支承フレームの下端は下方に突出した脚を有し、前記上フレームが前記本体開口の各辺に結合する骨格と、
両側が上方から下方に延伸する深さを有し、且つ、前記脚が挿入する槽孔を有する底板と、
からなることを特徴とする折り畳み可能な収納箱。
【請求項２】
前記支承フレームの上端は管体を有し、前記管体と前記支承フレームは一体に固定され、前記上フレームは前記管体を穿過して、前記支承フレームと前記上フレームの枢接を完成することを特徴とする請求項1に記載の折り畳み可能な収納箱。
【請求項３】
前記支承フレーム上端は管体を有し、前記管体の側壁は洞孔を有し、前記支承フレームの上端は前記洞孔を穿過して前記管体の内管径範囲内に伸入し、前記上端で外径が前記洞孔より大きい頭部を結合することを特徴とする請求項1に記載の折り畳み可能な収納箱。
【考案の詳細な説明】
【技術分野】
【０００１】
本考案は折り畳み可能な収納箱の改良構造に関する。
【背景技術】
【０００２】
体積が縮小され収蔵に便利であるという理由から、公知の折り畳み式収納箱や収納籠の種類は非常に多い。例えば、軟質の布を直方体の容器にし、容器上端四辺にそれぞれ上水平棒、容器下端の相対する両辺に下水平棒、容器の四個の垂直辺はそれぞれ立棒を設置する。且つ、相隣する上水平棒端部の間、相隣する下水平棒端部の間、及び、立棒と上、下水平棒の端部の間は適当な距離を保持する。容器の各垂直壁面は対角交差する折線を形成し、この構造により、軟質の容器は立棒、上水平棒、下水平棒で物品を収納する収納箱を支承し、ひねって畳むと扁平になる。
【０００３】
しかし、上述のような構造は複雑でコストも高い。
【考案の開示】
【考案が解決しようとする課題】
【０００４】
本考案の目的は、上述の問題を改善する折り畳み可能な収納箱を提供することにある。
【課題を解決するための手段】
【０００５】
上述の目的を達成するため、本考案の折り畳み可能な収納箱は、軟性の布材を採用し、底部と数個の側壁により内空間を構成する本体を形成し、本体内は上フレームと二つの支承フレームの骨組みを有し、上フレームの両側は本体の開口周縁に結合し、支承フレームの長さは本体の深さと等しいか長く、且つ、支承フレームの下端に脚を設置する。本体の内底部は底板を設置し、底板の両側は槽孔を有する。支承フレームは上フレームに相対して旋転し、本体の両側壁に近接する時、脚が底板の槽孔に挿入し、本体を起立させて収納箱を構成する。脚が底板の槽孔を脱離する時、支承フレームは上フレームに相対して旋転し、本体が扁平状に折り畳まれる。
【考案の効果】
【０００６】
公知の折り畳み式収納箱と比較すると、本考案は本体を支承する骨格構造が非常に簡潔であり、製造コストが低く、使用も便利である。
【考案を実施するための最良の形態】
【０００７】
図１は、本考案の折り畳み可能な収容箱の実施例を示し、骨格１、底板２、及び、本体３からなる。骨格１は本体１内に結合し、骨格１が包含する二支承フレーム１２は本体１の両側を支承して起立させ収納箱を構成する。
【０００８】
図２で示されるように、本考案の骨格１は四角形の上フレーム１１、及び、上フレーム１１の両側に枢接された支承フレーム１２からなり、上フレーム１１と支承フレーム１２は適当な直径の金属棒を湾折して形成される。支承フレーム１２の長さは本体３の内空間の深さと等しいかそれより長い。支承フレーム１２の下端両側は下方に突出した脚１２２を設け、支承フレーム１２上端は管体１２１を有する。管体１２１は支承フレーム１２と一体に溶接される（図３、及び、図３Aで示される溶接箇所１２１１）。或いは、管体１２１側壁に洞孔を有し、支承フレーム１２上端を洞孔の内径範囲に穿過させた後、支承フレーム１２上端は直径が洞孔より大きい頭部１２３を設置し（図３Aで示される）、支承フレーム１２と管体１２１が脱離するのを防止する。この他、管体１２１と支承フレーム１２の好ましい組み合わせの具体例は、支承フレーム１２の上端を板片材に溶接した後、板片材を上フレーム１１に繞巻させて管体１２１を形成し、支承フレーム１２と上フレーム１１の枢接を完成する。或いは、板片材を洞孔に設置後、支承フレーム１２の上端を洞孔に穿過し、支承フレーム１２上端にリベット等の素子を設置して頭部１２３とし、その後、板片材を上フレーム１１に繞巻させて管体１２１を形成し、支承フレームと上フレームの枢接を完成する。
【０００９】
本体３の好ましい実施例は、軟性の布材を使用し、底部と底部周囲に連接する側壁を有し、側壁と底部は共同で上向きに開口する内空間を形成し、開口の辺縁は上フレーム１１の各辺に結合される。その結合方式は、本体３開口の各辺縁を上フレーム１１の各辺に包覆した後、縫合方式で上フレーム１１本体の各辺を固定し、上フレームと本体の脱離を防止する。
【００１０】
底板２は適当な硬度を有する板体で、相対する両側に上方から下方に延伸する深さを有し、且つ、脚１２２を挿入する槽孔２１を有し、槽孔２１は貫通孔でも、深さのある埋孔でもよい。
【００１１】
前述の構造により、収納箱の使用時、支承フレーム１２を本体３の内空間に旋転させ本体の側壁に接近させ、支承フレーム１２の脚１２２を底板２の槽孔２１内に挿入し、支承フレーム１２の長さが本体３の内空間の深さより長いことを利用して、本体を起立させて固定する（図５で示される）。不使用時、折り畳みたい場合、施力して支承フレーム１２の脚１２２を底板２の槽孔２１から抜き、支承フレーム１２を旋転して本体３に対する支承を解除し（図６で示される）、その後、更に、本体を扁平に折り畳み（図７で示される）、収蔵と携帯に便利である。
【図面の簡単な説明】
【００１２】
【図１】本考案の収納箱構造の立体図である。
【図２】本考案の骨格構造、及び、底面と組み合わせの関係の立体分解図である。
【図３】本考案の骨格の支承フレームと上フレーム組み合わせ構造の第一実施例の局部立体図である。
【図３Ａ】図３のAAの断面図である。
【図４】本考案の骨格の支承フレームと上フレーム組み合わせ構造の第二実施例の局部立体図である。
【図４Ａ】図４のBBの断面図である。
【図５】本考案の収納箱の組み立て後の状態図である。
【図６】図５中の支承フレームが底板に対し支承を解除した後の状態図である。
【図７】本考案の収納箱折収後の平面図である。
【符号の説明】
【００１３】
１        骨格
１１      上フレーム
１２      支承フレーム
１２１    管体
１２１１  溶接箇所
１２２    脚
１２３    頭部
２        底板
２１      槽孔
３        本体
【図１】
0003129581.tif 000003
【図２】
0003129581.tif 000004
【図３】
0003129581.tif 000005
【図３Ａ】
0003129581.tif 000006
【図４】
0003129581.tif 000007
【図４Ａ】
0003129581.tif 000008
【図５】
0003129581.tif 000009
【図６】
0003129581.tif 000010
【図７】
0003129581.tif 000011